(57)【要約】【課題】音響装置のオープニング画面をユーザーが自由に変更できるようにするとともに、そのオープニング画面の設定やリセットも容易に行うことができるようにすることを目的とする。【解決手段】表示手段を備えた音響装置において、第１の所定名称のファイルまたはユーザが準備した第２の所定名称の画像ファイルを受信する。第１の所定名称のファイルを受信した場合はオープニング画面未登録状態に設定し、第２の所定名称の画像ファイルを受信した場合はユーザ指定オープニング画面登録状態に設定する。その設定状態を記憶しておき、電源がオンされたとき、オープニング画面未登録状態が設定されていた場合は、デフォルトのオープニング画面を表示し、ユーザ指定オープニング画面登録状態が設定されていた場合は、第２の所定名称の画像ファイルの画像データを含むオープニング画面を表示する。【選択図】  図５
2010011232.tif 000002
【特許請求の範囲】
【請求項１】
表示手段を備えた音響装置であって、
第１の所定名称のファイルまたはユーザが準備した第２の所定名称の画像ファイルを受信する手段と、
前記第１の所定名称のファイルを受信した場合はオープニング画面未登録状態に設定し、前記第２の所定名称の画像ファイルを受信した場合はユーザ指定オープニング画面登録状態に設定し、それらの設定状態を記憶しておく手段と、
電源がオンされたとき、前記オープニング画面未登録状態が設定されていた場合は、デフォルトのオープニング画面を表示し、前記ユーザ指定オープニング画面登録状態が設定されていた場合は、前記第２の所定名称の画像ファイルの画像データを含むオープニング画面を表示する手段と
を備えることを特徴とする音響装置。
【請求項２】
表示手段を備えたミキサ装置であって、
第１の所定名称のファイルまたはユーザが準備した第２の所定名称の画像ファイルを受信する手段と、
前記第１の所定名称のファイルを受信した場合はシーン対応画面未登録状態に設定し、前記第２の所定名称の画像ファイルを受信した場合はユーザ指定シーン対応画面登録状態に設定し、それらの設定状態を記憶しておく手段と、
シーンが切り替えられたとき、前記シーン対応画面未登録状態が設定されていた場合は、デフォルトのシーン対応画面を表示し、前記ユーザ指定シーン対応画面登録状態が設定されていた場合は、前記第２の所定名称の画像ファイルの画像データを含むシーン対応画面を表示する手段と
を備えることを特徴とするミキサ装置。
【請求項３】
表示手段を備えたミキサ装置であって、
第１の所定名称のファイルまたはユーザが準備した第２の所定名称の画像ファイルを受信する手段と、
前記第１の所定名称のファイルを受信した場合はコンフィグレーション対応画面未登録状態に設定し、前記第２の所定名称の画像ファイルを受信した場合はユーザ指定コンフィグレーション対応画面登録状態に設定し、それらの設定状態を記憶しておく手段と、
コンフィグレーションが切り替えられたとき、前記コンフィグレーション対応画面未登録状態が設定されていた場合は、デフォルトのコンフィグレーション対応画面を表示し、前記ユーザ指定コンフィグレーション対応画面登録状態が設定されていた場合は、前記第２の所定名称の画像ファイルの画像データを含むコンフィグレーション対応画面を表示する手段と
を備えることを特徴とするミキサ装置。
【請求項４】
請求項１から３の何れか１つに記載の音響装置またはミキサ装置において、
前記第２の所定名称の画像ファイルの画像データを含むオープニング画面、シーン対応画面、またはコンフィグレーション対応画面は、前記第２の所定名称の画像ファイルの画像データと予め決められた固定の画像データとを合成したものであることを特徴とする音響装置またはミキサ装置。
【請求項５】
請求項１から３の何れか１つに記載の音響装置またはミキサ装置において、
前記設定状態を記憶しておく手段は、前記未登録状態かまたは前記ユーザ指定の画面登録状態かを示すフラグを不揮発性の記憶手段に記憶することにより前記設定状態を記憶するものであることを特徴とする音響装置またはミキサ装置。
【請求項６】
請求項１から３の何れか１つに記載の音響装置またはミキサ装置において、
前記設定状態を記憶しておく手段は、予め、前記デフォルトの画面の画像データを準備し、または、前記ユーザ指定の画面の画像データを準備し、それらの画像データを不揮発性の記憶手段に記憶することにより前記設定状態を記憶するものであることを特徴とする音響装置またはミキサ装置。
【発明の詳細な説明】
【技術分野】
【０００１】
この発明は、ユーザーが自由にオープニング画面などの一部を変更できるようにした音響装置およびミキサ装置に関する。
【背景技術】
【０００２】
従来の各種の音響装置（ＬＣＤなどの表示手段を持つもの）では、電源をオンした直後に所定のオープニング画面を表示し、その後、初期画面を表示するようにしている（例えば、非特許文献１参照）。オープニング画面は、予めメーカーが設定した画面であり、メーカー名やその機器のロゴなどを表示するものである。
【０００３】
図７（ａ）は、電源オンの直後に表示されるメーカーロゴ画面の例を示す。図７（ｂ）は、図７（ａ）の画面の表示の後に表示される製品名及びコピーライトの画面例を示す。電源オンしたとき、図７（ａ）と（ｂ）の画面をそれぞれ所定時間表示した後に初期画面に移行する。
【非特許文献１】Digital Mixing Engine DME32、取扱説明書、ヤマハ株式会社、2000年発行、p12、電源オン／オフの項
【発明の開示】
【発明が解決しようとする課題】
【０００４】
ところで、音響装置の使用場所や提供者やユーザーの事情などにより、オープニング画面で、メーカーのロゴよりも納入先の物件のロゴマークなどが表示された方が望ましい場合がある。しかし、上述した従来の音響装置におけるオープニング画面は、ユーザーが自由に変更することはできなかった。
【０００５】
この発明は、音響装置のオープニング画面をユーザーが自由に変更できるようにするとともに、そのオープニング画面の設定やリセットも容易に行うことができるようにすることを目的とする。
【課題を解決するための手段】
【０００６】
上記の目的を達成するため、本発明は、表示手段を備えた音響装置であって、第１の所定名称のファイルまたはユーザが準備した第２の所定名称の画像ファイルを受信する手段と、前記第１の所定名称のファイルを受信した場合はオープニング画面未登録状態に設定し、前記第２の所定名称の画像ファイルを受信した場合はユーザ指定オープニング画面登録状態に設定し、それらの設定状態を記憶しておく手段と、電源がオンされたとき、前記オープニング画面未登録状態が設定されていた場合は、デフォルトのオープニング画面を表示し、前記ユーザ指定オープニング画面登録状態が設定されていた場合は、前記第２の所定名称の画像ファイルの画像データを含むオープニング画面を表示する手段とを備えることを特徴とする。
【０００７】
電源オン時のオープニング画面の代わりに、ミキサ装置におけるシーン切り替え時にシーン対応画面を表示し、そのシーン対応画面をユーザ指定のものとすることができるようにしてもよい。同様に、ミキサ装置におけるコンフィグレーション切り替え時にコンフィグレーション対応画面を表示し、そのコンフィグレーション対応画面をユーザ指定のものとすることができるようにしてもよい。
【０００８】
ユーザ指定の画面は、ユーザ指定の画像と予め決められた固定の画像データ（例えば、コピーライトを示す画像）とを合成したものとしてもよい。未登録状態かまたはユーザ指定の画面登録状態かは、不揮発性の記憶手段にフラグ（後述するマジックナンバー）を記憶することでその設定状態を記憶しておけばよい。また、フラグの代わりに、表示すべき画像データそのものを準備しておくことにより、その設定状態を記憶しておくようにしてもよい。
【発明の効果】
【０００９】
本発明によれば、音響機器の起動時にユーザーが指定した画像を表示することができるので、便利かつユーザーの自由度が上がるという効果がある。また、ミキサ装置におけるシーンやコンフィグレーションの切り替え時にユーザー指定の画像を表示するようにすれば、それらの切り替え時にユーザーの好みの情報を表示することができ便宜である。さらに、ユーザー指定の画像とコピーライトの表示などの固定の画像を合成して表示すれば、メーカーが必ず表示させたいコピーライトなどの表示もできる。また、画面をリセットしたい場合、所定のファイル名のファイルを送信するだけでよいので、ＰＣ側での処理が簡易である。
【発明を実施するための最良の形態】
【００１０】
以下、図面を用いて本発明の実施の形態を説明する。
【００１１】
図１は、本発明の実施の形態に係る音響装置１００（ここではミキサエンジンとする）のハードウェア構成例を示す。ＣＰＵ（中央処理装置）１０１は、このミキサエンジン全体の動作を制御する処理装置である。ＲＡＭ（ランダムアクセスメモリ）１０２は、ＣＰＵ１０１が実行するプログラムのロード領域やワーク領域に使用する揮発性メモリである。ＲＯＭ（リードオンリメモリ）１０３は、ＣＰＵ１０１が実行する制御プログラムや各種のデータを格納する不揮発性メモリである。ＲＯＭ１０３は、データの読み書きが自由に行えるフラッシュメモリであり、その領域の中の所定の領域にはファイルシステムが実装されており、そこに各種のデータをファイルとして記憶しておくことができる。操作子１０６は、このミキサエンジンの外部パネルに設けられているスイッチなどの操作子である。操作子１０６の操作は検出回路１０５により検出され、検出結果がＣＰＵ１０１に送られる。表示部１０８は、各種の情報を表示するディスプレイ（ＬＣＤ）である。表示回路１０７は、ＣＰＵ１０１からの指示に基づいて、与えられたデータを表示部１０８に表示する。通信インターフェース（Ｉ／Ｆ）１０９は、ＰＣなどの外部機器１２１や外部ネットワークと接続するためのインターフェースである。その接続方式はどのようなものでもよい。ＤＳＰ１０４は、ＣＰＵ１０１からの指示に基づいて、各種のマイクロプログラムを実行し、音響信号のミキシングなどのミキサとしての機能を実現する。音声Ｉ／Ｆ１１０は、ＤＳＰ１０４で処理する音響信号を入力し、あるいは、ＤＳＰ１０４による処理後の音響信号を出力するインターフェースである。音声Ｉ／Ｆ１１０に接続される外部機器１２２は、音響信号を入出力する各種の音響機器である。
【００１２】
図２は、図１の構成のミキサを含む接続構成図である。ミキサ２０３が、図１のハード構成を備える本実施形態のミキサである。ＬＣＤ２０４は、図１の表示部１０８に相当する。このミキサ２０３は、ハブ２０２などを利用したネットワークを介してＰＣ２０１に接続されている。ＰＣ２０１は、図１の外部機器１２１に相当する。ＰＣ２０１には、所定のミキサコントロール用のプログラムがインストールされ起動している。これにより、ＰＣ２０１から各種のコマンドをミキサ２０３に送信し、ミキサ２０３をコントロールすることができる。後述するミキサ２０３におけるオープニング画面のユーザーデータもＰＣ２０１からミキサ２０３に送信する。なお、ここではハブ２０２（ネットワーク）経由でＰＣ２０１とミキサ２０３とを接続したが、接続のインターフェースはこれに限らず、例えばＵＳＢやシリアルインターフェースでもよい。
【００１３】
図３は、本実施形態のミキサ２０３のＬＣＤ２０４に表示されるオープニング画面の構成を示す。画面上部の領域３０１は、ユーザーが任意の画像を設定できるユーザー変更可能エリアである。下部の領域３０２は、常時固定エリアであり、ここではコピーライトの表示が為されている。
【００１４】
本実施形態のミキサ２０３では、オープニング画面を任意に変更できる。デフォルトの状態では、ミキサ２０３の電源をオンすると、初めに、図７（ａ）のメーカーロゴ画面が表示され、その後、図７（ｂ）の製品名及びコピーライトの画面が表示される。ユーザがＰＣ２０１からミキサ２０３に所定のファイル名USER_OPENING.BMPの画像ファイルを転送すると、図７（ｂ）の画面が図３の画面に入れ替わる。すなわち、ミキサ２０３の電源をオンすると、初めに、図７（ａ）のメーカーロゴ画面が表示され、その後、図３のユーザー固有のオープニング画面（領域３０１にはUSER_OPENING.BMPの画像が設定されている）が表示される状態となる。再び、オープニング画面をデフォルトの状態に戻したいときには、ＰＣ２０１からミキサ２０３に所定のファイル名BLANK.BMPのファイルを転送する。
【００１５】
図４は、本実施形態のミキサ２０３のＲＯＭ１０３（フラッシュメモリ）の所定アドレスのメモリイメージを示す。ここに示した領域はファイルシステムが実装されていない領域であり、これ以外にＲＯＭ１０３中には所定のファイルシステムが実装された領域が存在する。この所定アドレス領域には、マジックナンバー４０１とコピーライト４０２とイメージデータ４０３が記憶される。マジックナンバー４０１は、１６バイトの文字列で、初期値は１６進データのFF（ユーザーのオープニング画面の画像が未登録であることを示す）で埋められる。ユーザーが独自のオープニング画面の画像を登録したとき、マジックナンバー４０１には、その画像データのファイル名である“USER_OPENING.BMP”が格納される。コピーライト４０２は、図３の常時固定エリア３０２に表示する所定の製品名及びコピーライトの画面の画像データ（図７（ｂ））である。イメージデータ４０３は、図３のユーザー変更可能エリア３０１に表示する画像データである。オープニング画面の表示の際には、コピーライト４０２およびイメージデータ４０３の画像データが、ＬＣＤ２０４のＶＲＡＭに展開されて表示される。なお、ＬＣＤへの表示はイメージデータ４０３が上側でコピーライト４０２が下側に表示されるが、メモリ上では、ハードウエアおよび表示方式上の制限によりデータの位置関係が逆になっている。
【００１６】
図５は、本実施形態のミキサ２０３が電源オンされたとき実行されるオープニング画面の表示処理の手順を示す。ステップ５０１で図７（ａ）のメーカーロゴ表示を所定時間だけ行い、ステップ５０２でユーザー指定のオープニング画面用データがあるか否かを、図４のマジックナンバー４０１を参照することにより判定する。
【００１７】
マジックナンバー４０１にUSER_OPENING.BMPと記載されていた場合は、ユーザー指定のオープニング画面用データがあるということだから、ステップ５０３でそのユーザー画像を読み込み、ステップ５０４でコピーライト４０２を読み込み、読み込んだユーザー画像とコピーライトとを合成して図３の画面を構成する。なお、ユーザー指定のオープニング画面用データは、ＲＯＭ１０３のファイルシステムが実装されている領域にファイル名USER_OPENING.BMPで格納されている。従って、ステップ５０３では、そのファイルを読み込み、図４のイメージデータ４０３に展開する処理を行う。ステップ５０５までの処理でコピーライト４０２とイメージデータ４０３が完成するから、次にステップ５０７で、その画像をオープニング画面として所定時間だけ表示する。
【００１８】
ステップ５０２でマジックナンバー４０１が１６進のFFで埋められていた場合は、ユーザー指定のオープニング画面用データがないということであるから、デフォルトの製品ロゴ画像（図７（ｂ））を読み込み、ステップ５０７で表示して、終了する。なお、規定の製品ロゴ画像のファイルは、所定のファイル名でＲＯＭ１０３のファイルシステムが実装されている領域に格納されている。従って、ステップ５０６では、そのデフォルトのファイルを読み込み、図４のイメージデータ４０３に展開する処理を行う。
【００１９】
図６は、ユーザー指定のオープニング画面用データの登録及び削除の処理手順を示す。画像の登録は、図２のＰＣ２０１からミキサ２０３に、所定のファイル名USER_OPENING.BMPの画像ファイルを送信することにより指示する。また、画像の削除は、ＰＣ２０１からミキサ２０３に、所定のファイル名BLANK.BMP（そのファイルの中身はなくてよい）を送信することにより指示する。
【００２０】
ミキサ２０３においては、まずステップ６０１で、上記の何れかのファイル名であるか判別する。そうであるときは、ステップ６０２で、そのファイル名が登録用のUSER_OPENING.BMPであるかまたは削除用のBLANK.BMPであるかを判定する。登録用のファイル名であるときは、ステップ６０３でマジックナンバーエリア４０１にそのファイル名USER_OPENING.BMPを書き込み、ステップ６０４で受信した画像ファイルをＲＯＭ１０３のファイルシステムが実装されている領域に格納し、終了する。ステップ６０２で削除用のファイル名であったときは、ステップ６０５で、マジックナンバー４０１を１６進のFFで埋め、終了する。
【００２１】
図６の処理で画像の登録または削除が実行されれば、その後、ミキサ２０３の電源がオンされたときには、上述の図５の処理が実行され、マジックナンバー４０１の設定に応じてユーザー指定のオープニング画面またはデフォルトのオープニング画面が表示されることとなる。
【００２２】
なお、本実施形態では、図６の画像の登録または削除のときはマジックナンバー４０１の設定と画像ファイルの格納を行い、電源オン時の図５の処理で図４の表示用のデータであるコピーライト４０２とイメージデータ４０３への展開を行っているが、図６の画像の登録または削除の処理の際にコピーライト４０２とイメージデータ４０３への展開を行ってもよい。その場合は、不揮発メモリであるＲＯＭ１０３内にコピーライト４０２とイメージデータ４０３が既に設定されているので、電源オン時にはコピーライト４０２とイメージデータ４０３をオープニング画面として機械的に表示すればよい。また、そのような方式とした場合は、フラグとしてのマジックナンバー４０１も不要であるし、登録または削除の処理の際にコピーライト４０２とイメージデータ４０３への展開を行うので、転送された画像ファイルもその展開の後には削除してよい。
【００２３】
上記実施形態では、オープニング画面を例として説明したが、ミキサにおいてシーンのリコールを行ったとき、そのシーンに対応する画面を所定時間表示するようにしてもよい。シーンとは、ミキサの設定状態を規定するパラメータの組合せを言う。ミキサは、信号の接続関係や各種操作子の設定状態を任意に設定できる。そのような全体としての設定状態を、各場面毎にシーンとして予め設定・記憶させておき、それを呼び出す（シーンのリコール）ことにより設定した状態を簡単に再現できるものである。そのようなシーンリコール時に、上述したオープニング画面と同様にして、そのシーンに対応する所定の画面を所定時間表示するようにし、さらにその画面をユーザ指定のものに切り替えることができるようにしてもよい。
【００２４】
さらに、ミキサにおいてコンフィグデータを呼び出したとき、コンフィグ毎に所定の画面を表示するようにしてもよい。コンフィグデータとは、ミキサ構成を定義するデータである。ミキサの機能は、主としてＤＳＰ１０４により実現するが、そのミキサ構成をユーザが任意に定義できるものがある。その定義は、ＰＣ上で、各種の構成要素（例えば、ミキサ（狭義）、コンプレッサ、エフェクト、クロスオーバなどのオーディオプロセッサや、フェーダ、スイッチ、パン、メータなど）を配置して結線することにより行う。そのようにして作成したミキサ構成を、コンフィグデータとして保存しておく。そして、コンフィグデータを呼び出すことで、そのコンフィグデータのミキサ構成のミキサを実現する。そのようなコンフィグデータの呼び出し時に、上述したオープニング画面と同様にして、そのコンフィグデータに対応する所定の画面を所定時間表示するようにし、さらにその画面をユーザ指定のものに切り替えることができるようにしてもよい。
【００２５】
さらに、起動時、シーンリコール時、およびコンフィグデータの呼び出し時などに画像を表示する代わりに、あるいはそれらの表示に加えて、いわゆるスクリーンセーバーのような使い方も可能である。これは、所定時間操作が為されなかった場合に、オープニング画面やその時点のシーンに対応する画面やその時点のコンフィグに対応する画面を表示するものである。そのようなスクリーンセーバーで表示する画面をユーザ指定のものに切り替えることができるようにしてもよい。
【図面の簡単な説明】
【００２６】
【図１】実施形態のミキサのハードウェア構成図
【図２】実施形態のミキサの接続構成図
【図３】ミキサにおける画面表示構成図
【図４】ミキサにおけるメモリイメージ図
【図５】オープニング画面表示処理のフローチャート
【図６】画像登録／削除処理のフローチャート
【図７】従来のオープニング画面の例を示す図
【符号の説明】
【００２７】
１０１…ＣＰＵ、１０２…ＲＡＭ、１０３…ＲＯＭ、１０４…ＤＳＰ、１０５…検出回路、１０６…操作子、１０７…表示回路、１０８…表示部、１０９…通信Ｉ／Ｆ、１１０…音声Ｉ／Ｆ、１１１…通信バス、１２１，１２２…外部機器。
【図１】
2010011232.tif 000003
【図２】
2010011232.tif 000004
【図３】
2010011232.tif 000005
【図４】
2010011232.tif 000006
【図５】
2010011232.tif 000007
【図６】
2010011232.tif 000008
【図７】
2010011232.tif 000009